(57)【特許請求の範囲】
【請求項１】
チェスト本体を構成するフレームに引出が出し入れ自在に収容されたチェストにおいて、
前記引出の側面に、引出側ローラー及び引出側レールを設ける一方、
前記フレームの側面に、内側へ向けて突出し前記引出側ローラーの移動方向に延在するフレーム側レールを一体形成したことを特徴とするチェスト。
【請求項２】
前記フレーム側レールは、前記引出側ローラーの上端部に対面して該引出側ローラーの移動方向に延在する上方ガイド部を有することを特徴とする請求項１記載のチェスト。
【請求項３】
前記フレーム側レールは、前記の上端部に対面して該引出側ローラーの移動方向に延在する上方ガイド部と、前記引出側ローラーの下端部に対面して該引出側ローラーの移動方向に延在する下方ガイド部とを有することを特徴とする請求項１記載のチェスト。
【請求項４】
前記下方ガイド部は、前記上方ガイド部に対向した前記フレームの底板部により構成されたことを特徴とする請求項３記載のチェスト。
【請求項５】
前記フレーム側レールを前記フレームに合成樹脂により一体形成したことを特徴とする請求項１から４にいずれか記載のチェスト。
【請求項６】
前記引出側レールは硬質であることを特徴とした請求項１記載のチェスト。
【請求項７】
前記フレーム側レールの延長線上に、前記引出側レールを支持するフレーム側ローラーを設けたことを特徴とする請求項１又は２記載のチェスト。
【請求項８】
前記引出側レールを金属で構成するとともに、当該引出側レールに前記引出側ローラーを設けたことを特徴とする請求項１、２又は３記載のチェスト。
【発明の詳細な説明】
【技術分野】
【０００１】
本発明は、衣類や小物などを収容するチェストに関する。
【背景技術】
【０００２】
従来、衣類や小物などを収納する際には、チェストが用いられていた。
【０００３】
このチェストは、チェスト本体と、該チェスト本体に引き出し自在に収容される引出とによって構成されている。
【０００４】
前記引出は、合成樹脂で形成されており、上方に開口した矩形容器状に形成されている。また、前記チェスト本体を形成するフレームも合成樹脂で形成されており、軽量化が図られている。
【発明の概要】
【発明が解決しようとする課題】
【０００５】
しかしながら、このようなチェストにおいては、引出に収容物を収容した際に、フレームと引出との摺接抵抗によって引出が出し入れし難くなることがあった。
【０００６】
本発明は、このような従来の課題に鑑みてなされたものであり、引出の操作性を向上することができるチェストを提供することを目的とするものである。
【課題を解決するための手段】
【０００７】
前記課題を解決するために本発明の請求項１のチェストにあっては、チェスト本体を構成するフレームに引出が出し入れ自在に収容されたチェストにおいて、前記引出の側面に、引出側ローラー及び引出側レールを設ける一方、前記フレームの側面に、内側へ向けて突出し前記引出側ローラーの移動方向に延在するフレーム側レールを一体形成した。
【０００８】
すなわち、引出の側面には、引出側ローラー及び引出側レールが設けられており、チェスト本体を構成するフレームには、前記引出側ローラーを案内するフレーム側レールが一体形成されている。
【０００９】
このため、前記引出の前記引出側ローラーが前記フレームに設けられたフレーム側レールに沿って転動することで、前記引出の出し入れが容易に行われる。
【００１０】
このとき、収容物に荷重が加わる前記引出には、前記引出側レールが延設されており、該引出側レールによって補強される。このため、前記荷重による引出の変形が防止される。
【００１１】
このとき、収容物に荷重が加わる前記引出には、前記引出側レールが延設されており、該引出側レールによって補強される。このため、前記荷重による引出の変形が防止される。
【００１２】
また、前記フレームの側面に、内側へ向けて突出し前記引出側ローラーの移動方向に延在するフレーム側レールが一体形成されているので、引出が当該引出の荷重によって引出時に前のめりになった際には、該引出に設けられた引出側ローラーがフレーム構成部材に形成されたフレーム側レールにより支持される。
【００１３】
また、請求項２のチェストにおいては、前記フレーム側レールは、前記引出側ローラーの上端部に対面して該引出側ローラーの移動方向に延在する上方ガイド部を有する。
【００１４】
また、請求項３のチェストにおいては、前記フレーム側レールは、前記の上端部に対面して該引出側ローラーの移動方向に延在する上方ガイド部と、前記引出側ローラーの下端部に対面して該引出側ローラーの移動方向に延在する下方ガイド部とを有する。
【００１５】
また、請求項４のチェストにおいては、前記下方ガイド部は、前記上方ガイド部に対向した前記フレームの底板部により構成された。
【００１６】
また、請求項５のチェストにおいては、前記フレーム側レールを前記フレームに合成樹脂により一体形成した。
【００１７】
また、請求項６のチェストにおいては、前記引出側レールは硬質である。
【００１８】
これにより、引出側レールによる引出の補強効果が高められる。
【００１９】
さらに、請求項７のチェストでは、前記フレーム側レールの延長線上に、前記引出側レールを支持するフレーム側ローラーを設けた。
【００２０】
これにより、フレーム側ローラーによって、引出に設けられた引出側レールが転動自在に支持される。
【００２１】
加えて、請求項８のチェストにあっては、前記引出側レールを金属で構成するとともに、当該引出側レールに前記引出側ローラーを設けた。
【００２２】
これにより、引出側レールによる引出の補強効果がさらに高められる。
【００２３】
また、前記引出側レールを取り付けるだけで、前記引出側ローラが前記引出に取り付けられる。
【発明の効果】
【００２４】
以上説明したように、本発明の請求項１のチェストにあっては、引出の側面に引出側ローラー及び引出側レールを設けるとともに、チェスト本体を構成するフレームに、前記引出側ローラーを案内するフレーム側レールを一体形成することで、前記引出の前記引出側ローラーを前記フレームに設けられた前記フレーム側レールに沿って転動することができる。これにより、前記引出の出し入れを容易に行うことができ、引出の操作性を向上することができる。
【００２５】
このとき、収容物に荷重が加わる前記引出には、前記引出側レールが延設されており、この引出側レールによって前記引出が補強される。これにより、前記荷重による引出の不用意な変形を防止することができる。
【００２６】
また、前記フレームの側面に、内側へ向けて水平方向に突出し引出側ローラーの移動方向に延在するフレーム側レールを一体形成したことで、引出が当該引出の荷重によって引出時に前のめりになった際には、該引出に設けられた引出側ローラーがフレーム構成部材に形成されたフレーム側レールにより支持して引出時の前のめり僅かにし、引出の操作性を向上することができる。
【００２７】
また、請求項６のチェストにおいては、引出に延設された引出側レールを硬質とすることで、引出側レールによる引出の補強効果を高めることができる。
【００２８】
さらに、請求項７のチェストでは、前記フレーム側レールの延長線上に、前記引出側レールを支持するフレーム側ローラーを設けることによって、前記フレーム側ローラーで前記引出に設けられた前記引出側レールを転動自在に支持することができる。
【００２９】
これにより、引出の操作性をさらに向上することができる。
【００３０】
加えて、請求項８のチェストにあっては、前記引出側レールを金属で構成するとともに、当該引出側レールに前記引出側ローラーを設けることによって、前記引出側レールによる前記引出の補強効果を、さらに高めることができる。
【００３１】
また、前記引出側レールを取り付けるだけで、前記引出側ローラを前記引出に取り付けることができる。
【図面の簡単な説明】
【００３２】
【図１】本発明の一実施の形態の正面を示す一部断面図である。
【図２】同実施の形態の側面図である。
【図３】同実施の形態の要部を示す一部断面図である。
【図４】同実施の形態のフレームを示す断面図である。
【図５】同実施の形態のベース部材を示す図であり、（ａ）は平面図、（ｂ）は側面図、（ｃ）は底面図である。
【図６】同実施の形態のベース部材を分解断面図である。
【図７】同実施の形態のフレーム構成部材の要部を示す図であり、（ａ）は支柱の切欠部部分を示す断面図であり、（ｂ）は切欠部にベース部材を取り付けた状態を示す側面図である。
【図８】同実施の形態の要部を示す断面図である。
【図９】同実施の形態の引出側レールを示す図で、（ａ）は平面図であり、（ｂ）は側面図である。
【図１０】同実施の形態の動作を示す説明図である。
【図１１】図１０に続く動作を示す説明図である。
【発明を実施するための形態】
【００３３】
以下、本発明の一実施の形態を図に従って説明する。図１は、本実施の形態にかかるチェスト１を示す図であり、該チェスト１は、衣類や小物などを収納するものである。
【００３４】
このチェスト１は、図２にも示すように、フレーム１１を形成するチェスト本体１２と、該チェスト本体１２に設けられた矩形容器状の引出１３，１３とによって構成されている。
【００３５】
前記チェスト本体１２を形成する前記フレーム１１は、上下に連結された二つフレーム構成部材２１，２１によって構成されており、下段のフレーム構成部材２１の底面２２には、キャスター２３，・・・が四隅に設けられている。上段のフレーム構成部材２１には、天板２４が設けられており、両フレーム構成部材２１，２１間及び上段のフレーム構成部材２１と前記天板２４間には、前記引出１３，１３が引き出し自在に保持されている。
【００３６】
前記フレーム構成部材２１は、合成樹脂で形成されており、当該フレーム構成部材２１は、図３に示すように、中央部に矩形開口部３１が形成された長方形状の底板部３２と、該底板部３２の四隅に一体形成された支柱３３，・・・とによって構成されている。
【００３７】
該支柱３３は、四角柱状に形成されており、前記底板部３２に起立した支柱本体４１と、該支柱本体４１の上端部に設けられた挿入部４２とによって一体形成されている。該挿入部４２は、前記支柱本体４１より小径に形成されており、前記挿入部４２が起立した前記支柱本体４１の上端には、段差部４３が形成されている。下段のフレーム構成部材２１の支柱３３の挿入部４２は、上段のフレーム構成部材２１の支柱３３下部に挿入された状態で固定されており、上段のフレーム構成部材２１の支柱３３の挿入部４２は、前記天板２４に挿入された状態で固定されている。
【００３８】
前記フレーム構成部材２１における前後の支柱３３，３３間には、図４にも示すように、フレーム側レール５１が設けられている。
【００３９】
すなわち、両支柱３３，３３間には、下部側壁面６１が両支柱３３，３３の下部に一体形成されており、該下部側壁面６１には、内側へ向けて水平方向に突出した上方ガイド部６２が当該フレーム構成部材２１の前記底板部３２に沿って形成されている。
これにより、当該フレーム構成部材２１には、前記上方ガイド部６２と、該上方ガイド部６２に対向した前記底板部３２の対向部位が構成する下方ガイド部６３とによって、前記フレーム側レール５１が構成されている。
【００４０】
このフレー構成部材２１の支柱３３，３３の内側面には、内側に突出した突出部７１，７１が上端部から下端に渡って形成されており、前方Ｆ側に配置された支柱３３における前記突出部７１は、下端部において前方に延出している。この前方に突出した前方突出部７２には、上下に延在する切欠部７３が形成されており、該切欠部７３は、上方へ向けて開口するように構成されている。
【００４１】
この切欠部７３の上方開口部８１からは、図５及び図６に示すように、ベース部材８２が挿入された状態で固定されるように構成されている。該ベース部材８２は、矩形状のベース本体８３と、該ベース本体８３より下方に延出した下方延出部８４とからなり、該下方延出部８４の先端には、前記切欠部７３に挿入した状態で、前記フレーム構成部材２１と係合する係合爪８５が設けられている。
【００４２】
また、前記ベース本体８３には、円形穴９１が設けられており、該円形穴９１には、図６に示したように、金属製のフレーム側ローラー９２を挿通した図外の軸部が固定されるように構成されている。これにより、当該ベース部材８２には、前記フレーム側ローラー９２が回動自在に支持されており、当該ベース部材８２を、図４及び図７に示すように、前記切欠部７３に固定した状態で、前記フレーム側ローラー９２を前記フレーム側レール５１の延長上に配置できるように構成されている。
【００４３】
なお、この前記フレーム側ローラ９２を、前記フレーム構成部材２１にインサート成型しても良い。
【００４４】
このフレーム構成部材２１の左右の支柱３３，・・・間に保持される前記引出１３は、合成樹脂によって形成されており、図８にも示すように、上方が開口した矩形容器状に形成されている。この引出１３は、上下方向に型開きされる金型によって成形されており、左右の側面１０１，１０１の横幅寸法及び前面１０２並びに後面１０３の奥行き寸法は、抜き勾配によって下方へ向かうに従って小さくなるように形成されている。これにより、対向した左右の側面１０１，１０１と、対向した前面１０２及び後面１０３は傾斜するとともに、内径寸法が上方へ向かうに従って広がるように設定されており、引出１３，１３同士を重ねて保管できるように構成されている。
【００４５】
この引出１３には、各側面１０１，１０１の下部に引出側レール１１１が固定されており、該引出側レール１１１は、前記フレーム１１より硬質の金属によって構成されている。
【００４６】
この引出側レール１１１は、図８及び図９にも示すように、側面部１２１と天面部１２２とからなる断面Ｌ字状に形成されており、前記側面部１２１には、前記引出１３の側面１０１に設けられた固定部１２３，・・・に固定される固定爪１２４，・・・が切り起こされている。前記側面部１２１の端部には、引出側ローラー１２５が回転自在に支持されており、該引出側ローラー１２５が位置する前記天面部１２２の端部には、前記引出側ローラー１２５の上部が突出させる為の切欠部１２６が設けられている。
【００４７】
これにより、図１０に示すように、前記引出１３に設けられた前記引出側ローラー１２５は、前記フレーム構成部材２１に設けられた前記フレーム側レール５１に案内される一方、前記フレーム構成部材２１に設けられたフレーム側ローラ９２は、前記引出１３に設けられた前記引出側レール１１１に案内されるように構成されている。つまり、図１０に示すように、前記水平方向に突出している前記フレーム側レール５１の上方ガイド部６２は、前記引出側ローラー１２の上端部に対面して該引出側ローラー１２の移動方向に延在しているのである。
【００４８】
そして、前記フレーム２１から前記引出１３を引き出す際には、前記フレーム構成部材２１に設けられた前記フレーム側ローラー９２が前記引出１３に設けられた前記引出側レール１１１の前記天面部１２２を支持する一方、前記引出１３が当該引出１３の荷重によって引出時に前のめりになった際には、該引出１３に設けられた前記引出側ローラー１２が前記フレーム構成部材２１に形成された前記フレーム側レール５１の前記上方ガイド部６２に支持されて引出時の前のめりが僅かとなるように構成されている（図示省略）。
さらに、前記引出１３を引き出した際には、図１１に示すように、前記引出側ローラー１２が前記フレーム側レール５１から離脱することによって、当該引出１３をチェスト本体１２から取り出せるように構成されている。
【００４９】
以上の構成にかかる本実施の形態において、引出１３の側面１０１には、引出側ローラー１２５及び引出側レール１１１が設けられており、チェスト本体１２を構成するフレーム１１には、前記引出側ローラー１２５を案内するフレーム側レール５１が一体形成されている。
【００５０】
このため、前記引出１３の前記引出側ローラー１２５が前記フレーム１１に設けられたフレーム側レール５１に沿って転動することで、前記引出１３の出し入れが容易に行われる。
【００５１】
このとき、収容物に荷重が加わる前記引出１３には、前記引出側レール１１１が延設されており、該引出側レール１１１によって補強される。このため、前記荷重による引出１３の変形が防止される。
【００５２】
このように、本実施の形態にあっては、引出１３の側面１０１に引出側ローラー１２５及び引出側レール１１１を設けるとともに、チェスト本体１２を構成するフレーム１１に、前記引出側ローラー１２５を案内するフレーム側レール５１を一体形成することで、前記引出１３の前記引出側ローラー１２５を前記フレーム１１に設けられた前記フレーム側レール５１に沿って転動することができる。これにより、前記引出１３の出し入れを容易に行うことができ、引出の操作性を向上することができる。
【００５３】
このとき、収容物に荷重が加わる前記引出１３には、前記引出側レール１１１が延設されており、この引出側レール１１１によって前記引出１３を補強することができる。これにより、前記荷重による引出１３の不用意な変形を防止することができる。このため、前記引出側レール１１１が変形する場合と比較して、摺動性を確保することができる。
【００５４】
また、前記引出に延設された前記引出側レール１１１を硬質とすることで、当該引出側レール１１１による引出１３の補強効果を高めることができる。
【００５５】
さらに、前記引出側レール１１１を金属で構成することによって、当該引出側レール１１１による引出１３の補強効果がさらに高めることができる。
【００５６】
ここで、前記フレーム側レール５１も金属レールで構成することも考えられる。しかし、前記フレーム１１は、合成樹脂で形成されており、この合成樹脂製のフレーム１１に金属レールを設ける際には、別工程を必要とする。このため、この構成では、コスト高を招いてしまう。
【００５７】
そこで、本実施の形態では、前記引出１３に金属製の引出側レール１１１を設け、前記フレーム１１には、樹脂製のフレーム側レール５１を一体形成した。この組み合わせは、コストアップを回避しつつ、引出１３のスムーズな摺動性を高めることができる優れた組み合わせとなる。
【００５８】
また、前記引出側レール１１１を取り付けるだけで、前記引出側ローラー１２５を前記引出１３に取り付けることができる。
【００５９】
そして、前記フレーム側レール５１の延長線上に、前記引出側レール１１１を支持するフレーム側ローラー９２を設けることによって、該フレーム側ローラー９２で前記引出１３に設けられた前記引出側レール１１１を転動自在に支持することができる。
【００６０】
これにより、前記引出１３の操作性をさらに向上することができる。
【００６１】
また、前記フレームに、内側へ向けて水平方向に突出し前記引出側ローラーの上端部に対面して該引出側ローラーの移動方向に延在するフレーム側レールを一体形成したことにより、引出が当該引出の荷重によって引出時に前のめりになった際には、該引出に設けられた引出側ローラーがフレーム構成部材２１に形成されたフレーム側レールにより支持して引出時の前のめり僅かにし、引出の操作性を向上することができる。
【符号の説明】
【００６２】
１    チェスト
１１    フレーム
１２    チェスト本体
１３    引出
５１    フレーム側レール
８２    ベース部材
９２    フレーム側ローラ
１０１    側面
１１１    引出側レール
１２５    引出側ローラー
【図１】
0005330491.tif 000002
【図２】
0005330491.tif 000003
【図３】
0005330491.tif 000004
【図４】
0005330491.tif 000005
【図５】
0005330491.tif 000006
【図６】
0005330491.tif 000007
【図７】
0005330491.tif 000008
【図８】
0005330491.tif 000009
【図９】
0005330491.tif 000010
【図１０】
0005330491.tif 000011
【図１１】
0005330491.tif 000012